(57)【特許請求の範囲】
【請求項１】
アイドル状態から動作状態に切り替えられた後、動作モードが血糖値測定モードに設定されると血糖値の測定が可能となる血糖値測定装置において、
測定された血糖値がその測定日時と紐付けられて記憶されるとともに、血糖測定を促すアラーム時刻が複数記憶されたデータ記憶部と、
前記データ記憶部に記憶された複数のアラーム時刻のうち、前記アイドル状態から動作状態に切り替えられた動作状態開始時刻に最も近い該当アラーム時刻を前記データ記憶部から検索する該当アラーム時刻検索部と、
前記該当アラーム時刻を含む所定期間内に測定された過去の所定日数分の血糖値を前記データ記憶部から検索し、検索した過去の所定日数分の血糖値の傾向を算出する血糖値傾向算出部と、
前記血糖値傾向算出部で算出された、過去の所定日数分の血糖値の傾向を示す第１表示画面を表示部に表示させる第１表示画面生成部と、
前記表示部に前記第１表示画面が表示されると、前記動作モードを血糖値測定モードに設定する血糖値測定モード開始部と、を備える
血糖値測定装置。
【請求項２】
前記血糖値傾向算出部は、検索した過去の所定日数分の血糖値の平均である平均血糖値を算出し、
前記第１表示画面生成部は、前記血糖値傾向算出部で算出された前記平均血糖値を含む前記第１表示画面を前記表示部に表示させる
請求項１に記載の血糖値測定装置。
【請求項３】
血糖値が測定された後、測定した血糖値と、前記血糖値傾向算出部で算出された前記平均血糖値とを比較する測定結果比較部と、
前記測定した血糖値と前記測定結果比較部による比較結果とを含む第２表示画面を前記表示部に表示させる第２表示画面生成部と、をさらに備える
請求項２に記載の血糖値測定装置。
【請求項４】
前記血糖値傾向算出部は、検索した過去の所定日数分の血糖値を日付順に並び替え、
前記第１表示画面生成部は、前記血糖値傾向算出部で並び替えられた過去の所定日数分の血糖値のグラフを含む前記第１表示画面を前記表示部に表示させる
請求項１〜３のいずれか１項に記載の血糖値測定装置。
【請求項５】
前記データ記憶部に記憶された複数のアラーム時刻のいずれかの時刻になると、前記血糖値測定装置をアイドル状態から動作状態に切り替える状態制御部をさらに備える
請求項１〜４のいずれか１項に記載の血糖値測定装置。
【請求項６】
アイドル状態から動作状態に切り替えられた後、動作モードが血糖値測定モードに設定されると血糖値の測定が可能となる血糖値測定装置を用いた血糖値測定方法において、
測定された血糖値がその測定日時と紐付けられて記憶されるとともに、血糖測定を促すアラーム時刻が複数記憶されたデータ記憶部に記憶された複数のアラーム時刻のうち、前記アイドル状態から動作状態に切り替えられた動作状態開始時刻に最も近い該当アラーム時刻を前記データ記憶部から検索するステップと、
前記該当アラーム時刻を含む所定期間内に測定された過去の所定日数分の血糖値を前記データ記憶部から検索し、検索した過去の所定日数分の血糖値の傾向を算出するステップと、
過去の所定日数分の血糖値の傾向を示す第１表示画面を表示部に表示させるステップと、
前記表示部に前記第１表示画面が表示されると、前記動作モードを血糖値測定モードに設定するステップと、を含む
血糖値測定方法。
【請求項７】
アイドル状態から動作状態に切り替えられた後、動作モードが血糖値測定モードに設定されると血糖値の測定が可能となる血糖値測定装置を動作させるプログラムにおいて、
測定された血糖値がその測定日時と紐付けられて記憶されるとともに、血糖測定を促すアラーム時刻が複数記憶されたデータ記憶部に記憶された複数のアラーム時刻のうち、前記アイドル状態から動作状態に切り替えられた動作状態開始時刻に最も近い該当アラーム時刻を前記データ記憶部から検索する手順と、
前記該当アラーム時刻を含む所定期間内に測定された過去の所定日数分の血糖値を前記データ記憶部から検索し、検索した過去の所定日数分の血糖値の傾向を算出する手順と、
過去の所定日数分の血糖値の傾向を示す第１表示画面を表示部に表示させる手順と、
前記表示部に前記第１表示画面が表示されると、前記動作モードを血糖値測定モードに設定する手順と、
をコンピュータに実行させるためのプログラム。
【発明の詳細な説明】
【技術分野】
【０００１】
本発明は、血糖値を測定するために用いる血糖値測定装置、血糖値測定方法およびプログラムに関する。
【背景技術】
【０００２】
従来、糖尿病患者の診断、治療、医療指導を行うために、携帯型の血糖値測定装置が用いられている。この血糖値測定装置は、医師や糖尿病療養指導士の指導の下、糖尿病患者（ユーザ）自身で血糖値を測定するための装置である。
【０００３】
通常、ユーザは、血糖値測定装置を使用して、朝食前、朝食後、昼食前、昼食後、夕食前、夕食後および就寝前の各測定期間（測定時間帯）に血糖値を測定し、それを日々記録している。そして、現在の血糖値と、当該現在の血糖値を測定した時刻に対応する測定期間における過去の血糖値とを比較することにより、日々の血糖値変動を認識し、血糖コントロールに生かしている。しかしながら、測定した血糖値を記録することはユーザにとって非常にわずらわしい作業である。
【０００４】
そこで、各測定期間に測定された過去数日分の血糖値をグラフ化した血糖値トレンドグラフを表示する血糖値測定装置（特許文献１，２参照）や、各測定期間に測定された過去数日分の血糖値の平均値を表示する血糖値測定装置（特許文献３，４）が考えられている。
【先行技術文献】
【特許文献】
【０００５】
【特許文献１】特表２００８−５２４５９１号公報
【特許文献２】特開２０１０−０８２００８号公報
【特許文献３】特開２０００−０６０８０３号公報
【特許文献４】特許４５９４７３１号明細書
【発明の概要】
【発明が解決しようとする課題】
【０００６】
しかしながら、特許文献１〜４に記載された従来の血糖値測定装置では、血糖値トレンドグラフや血糖値の平均値等の血糖値傾向を示す画面を表示させるには、装置を動作させた後に多くのボタン操作が必要である。そのため、ユーザは、血糖値傾向の確認を忘れたり、ボタンの誤操作により適切でない測定期間の血糖値傾向を表示させる可能性があった。
【０００７】
本発明はこのような状況に鑑みて成されたものであり、血糖値の測定を行う前に、適切な測定期間における血糖値傾向を確実にユーザに知らせることができる血糖値測定装置、血糖値測定方法およびプログラムを提供することを目的とする。
【課題を解決するための手段】
【０００８】
上記課題を解決し、本発明の目的を達成するため、本発明は、測定された血糖値がその測定日時と紐付けられて記憶されるとともに、血糖測定を促すアラーム時刻が複数記憶されたデータ記憶部を備える。そして、このデータ記憶部に記憶された複数のアラーム時刻のうち、アイドル状態から動作状態に切り替えられた動作状態開始時刻に最も近い該当アラーム時刻をデータ記憶部から検索する。そして、該当アラーム時刻を含む所定期間内に測定された過去の所定日数分の血糖値をデータ記憶部から検索し、検索した過去の所定日数分の血糖値の傾向（血糖値傾向）を算出する。そして、算出された過去の所定日数分の血糖値傾向を示す第１表示画面を表示部に表示させる。その後、表示部に第１表示画面が表示されると、動作モードを血糖値測定モードに設定する。
【発明の効果】
【０００９】
本発明によれば、血糖値測定装置が動作状態になると、該当アラーム時刻に対応する測定期間（例えば、朝食前、朝食後、昼食前、昼食後、夕食前、夕食後あるいは就寝前）における過去の所定日数分の血糖値の傾向（血糖値傾向）を示す第１表示画面を表示部に表示することができる。これにより、血糖値の測定が行われる前に、適切な測定期間における血糖値傾向を確実にユーザに知らせることができる。その結果、ユーザが血糖値傾向の確認をし忘れることを防止できる、という効果がある。
【図面の簡単な説明】
【００１０】
【図１】本発明の一実施形態に係る血糖値測定装置を示す外観斜視図である。
【図２】本発明の一実施形態に係るチップを示す外観斜視図である。
【図３】本発明の一実施形態に係る血糖値測定装置のＡ−Ａ´線に沿った断面図である。
【図４】本発明の一実施形態に係る血糖値測定装置の内部構成を示すブロック図である。
【図５】本発明の一実施形態に係る制御部の機能を示すブロック図である。
【図６】本発明の一実施形態に係る血糖値測定装置の動作を示すフローチャートである。
【図７】本発明の一実施形態に係る第１表示画面の一例を示す説明図である。
【図８】本発明の一実施形態に係る第２表示画面の一例を示す説明図である。
【図９】変形例に係る第１表示画面の一例を示す説明図である。
【図１０】変形例に係る第２表示画面の一例を示す説明図である。
【発明を実施するための形態】
【００１１】
以下、本発明の血糖値測定装置の実施の形態例について、図１〜図１０を参照して説明する。なお、各図において共通の部材には、同一の符号を付す。
【００１２】
説明は以下の順序で行う。
１．一実施形態例
１−１．血糖値測定装置の構成例
１−２．血糖値測定装置の内部構成例
１−３．制御部の機能的な構成例
１−４．血糖値測定装置の動作例
２．変形例
２−１．変形例１
２−２．変形例２
３−２．その他の変形例
【００１３】
１．一実施形態例
本発明の一実施形態例を、図１〜図８を参照して説明する。本実施の形態では、血糖値の測定を行う前に、適切な測定期間（時間帯）における過去数日分の血糖値の平均値（以下、「平均血糖値」という）を表示させ、血糖値の測定後に、測定した血糖値とともにこの血糖値と平均血糖値との比較結果を表示させる血糖値測定装置１０１の例について説明する。
【００１４】
１−１．血糖値測定装置の構成例
図１は、本発明の一実施形態に係る血糖値測定装置１０１を示す外観斜視図である。
血糖値測定装置１０１は、各種の情報を表示する表示部１０２と、血糖値測定装置１０１をアイドル状態および動作状態の間で切り替える電源ボタン１０３と、データ記憶部４０５（後述する図４参照）に記憶された血糖値の過去の履歴を、表示部１０２に表示させる履歴呼出ボタン１０４と、を備える。なお、アイドル状態とは、血糖値測定装置１０１を構成する制御部４０２と発振部４０３（後述する図４参照）のみが起動している状態を指し、動作状態とは、血糖値測定装置１０１を構成する制御部４０２と発振部４０３以外の各部も起動している状態を指す。
【００１５】
また、血糖値測定装置１０１は、チップ（tip）１１０が着脱されるホルダ１０７と、ホルダ１０７に装着されたチップ１１０を取り外すイジェクタ１０６を備える。また、血糖値測定装置１０１は、各部が配置される筐体１０５を備える。筐体１０５の内部には、不図示のプリント回路基板が配置されており、所定の演算・血糖値の測定処理を行う。
【００１６】
チップ１１０は、ケース１１１に格納され、血糖値を測定するまでは外気に触れない状態で衛生的かつ乾燥した状態に保たれる。チップ１１０の内部には、試験紙２０２（後述する図２参照）が固定されている。
【００１７】
試験紙２０２に血液が付着すると、化学反応を起こして試験紙２０２が発色する。血糖値測定装置１０１は、試験紙２０２が発色する部位に光を照射し、この部位が反射した光の受光光量を測定することによって、血糖値を測定する。
【００１８】
図２は、本発明の一実施形態に係るチップ１１０を示す外観斜視図である。
チップ１１０は、試験紙２０２と、試験紙２０２の周囲に形成される４本の突起部１１４ａ〜１１４ｄとを備える。突起部１１４ａ〜１１４ｄは、ホルダ１０７にはめ込まれ、チップ１１０をホルダ１０７に固定する。チップ１１０がホルダ１０７に嵌め込まれると、周縁に設けられたフランジがホルダ１０７の先端に密着し、外部からの入光を遮る。
【００１９】
図３は、図１におけるＡ−Ａ′線におけるホルダ１０７およびチップ１１０を示す断面図である。
【００２０】
血糖値測定装置１０１は、試験紙２０２に対して所定の波長の光を発する発光部３０３と、試験紙２０２からの反射光を受光し、受光信号を発生する受光部３０４を備える。
チップ１１０は、先端に付着した血液を毛細管現象により吸い取る細管３０２を有し、細管３０２を通じて血液が試験紙２０２に導かれる。
【００２１】
発光部３０３には、例えば、波長が６３０ｎｍの光を発する発光ダイオードが用いられる。受光部３０４には、例えば、フォトダイオードやフォトトランジスタが用いられる。
【００２２】
受光部３０４は、ホルダ１０７にチップ１１０が取り付けられている状態では、試験紙２０２から反射した光を受光し、受光信号を発生する。
【００２３】
チップ１１０の細管３０２は、所定の剛性を有する剛性材料で構成される。このような剛性材料としては、例えば、各種の樹脂材料が挙げられる。特に、検体を迅速に導入、展開するのに適したものとして、アクリル系樹脂等の親水性の高い材料または親水化処理されたものが好ましい。
【００２４】
試験紙２０２は、血液を吸収可能な担体に、試薬（発色試薬）を担持（含浸）させたものである。この担体は、好ましくは多孔性膜（シート状多孔質基材）で構成される。この場合、多孔性膜は、血液中の赤血球を濾過できる程度の孔径を有するものが好ましい。
【００２５】
試験紙２０２の担体としては、多孔性膜の他に、例えば、不織布、織布、延伸処理したシート等のシート状多孔質基材が挙げられる。
多孔性膜等の担体の構成材料としては、ポリエステル類、ポリアミド類、ポリオレフィン類、ポリスルホン類またはセルロース類等が挙げられるが、試薬を溶解した水溶液を含浸させたり、血液の採取時には血液の吸収・展開を迅速に行うため、親水性を有する材料または、親水化処理されたりしたものが好ましい。
【００２６】
担体（多孔質膜）に含浸する試薬（発色試薬）としては、例えば、グルコースオキシダーゼ（ＧＯＤ）と、ペルオキシダーゼ（ＰＯＤ）と、４−アミノアンチピリン（４−ＡＡ）、Ｎ−エチル−Ｎ−（２−ヒドロキシ−３−スルホプロピル）−ｍ−トルイジン（ＴＯＯＳ）のような発色剤とが挙げられる。さらに、リン酸緩衝液のような緩衝剤が含まれていてもよい。なお、試薬の種類、成分については、これらに限定されないことは言うまでもない。
【００２７】
１−２．血糖値測定装置の内部構成例
次に、血糖値測定装置１０１の内部構成例について図４を参照して説明する。
【００２８】
図４は、本発明の一実施形態に係る血糖値測定装置１０１の内部構成を示すブロック図である。
血糖値測定装置１０１は、上述した表示部１０２，発光部３０３，受光部３０４に加え、各部を制御する制御部４０２、発振部４０３、データ記憶部４０５、外部出力部４０６、電源４０７、電源電圧検出部４０８、操作部４１０およびブザー出力部４１１を有する。
【００２９】
筐体１０５の内部に設けられるプリント回路基板には、マイクロコンピュータ（ＭＰＵ：MicroProcessingUnit）で構成される制御部４０２が搭載されており、血糖値測定装置１０１の諸動作を制御する。この制御部４０２には、受光部３０４からの信号に基づいて目的とする血中成分（ブドウ糖）を算出する演算部（不図示）が内蔵される。この演算部は、必要に応じて、例えばヘマトクリット値補正計算等も行う。
【００３０】
発光部３０３および受光部３０４は、ホルダ１０７（図３参照）に収納、保持される。発光部３０３は、制御部４０２と電気的に接続され、受光部３０４は、増幅器（不図示）およびＡ／Ｄ変換部（不図示）を介して制御部４０２と電気的に接続される。
【００３１】
発光部３０３は、制御部４０２からの信号により作動し、所定の時間間隔でパルス光を発する。このパルス光は、例えば、その周期が０．５〜３．０ｍｓｅｃ程度、１パルスの発光時間が０．０５〜０．３ｍｓｅｃ程度とされる。また、このパルス光の波長は、好ましくは５００〜７２０ｎｍ程度、より好ましくは５８０〜６５０ｎｍ程度とされる。
【００３２】
ホルダ１０７の先端部には、チップ１１０が着脱自在に装着される。ホルダ１０７にチップ１１０が装着されると、ホルダ１０７の先端面は、チップ１１０が備える試験紙２０２に対面する。この状態で、発光部３０３から発せられた光は試験紙２０２に照射され、試験紙２０２で反射された反射光は、受光部３０４で受光され、光電変換される。受光部３０４は、その受光光量に応じたアナログ信号を出力し、所望の値に増幅する。その後、アナログ信号は、Ａ／Ｄ変換部（不図示）にてデジタル信号に変換され、制御部４０２に入力される。
【００３３】
制御部４０２は、血糖値測定モード時において、受光部３０４から供給される受光信号に基づいて、受光光量を測定する。そして、制御部４０２は、測定された受光光量に基づいて、試験紙２０２に付着した血液の血糖値を測定する。測定された血糖値は、血糖値の測定日時と紐付けられてデータ記憶部４０５の第３のメモリ（後述）に記憶される。
【００３４】
また、制御部４０２は、血糖値測定モードになる前に、適切な測定期間における過去数日分の血糖値の平均値（平均血糖値）を表示部１０２に表示させる。さらに、制御部４０２は、血糖値の測定が完了したのを機に、測定した血糖値およびこの血糖値と平均血糖値との比較結果を表示部１０２に表示させる。なお、平均血糖値と、測定した血糖値および比較結果を表示部１０２に表示させるための制御部４０２の構成については、図５にて後述する。
【００３５】
発振部４０３は、タイマを構成するもので、一定時間間隔のクロックパルスを発振し、制御部４０２のマイクロコンピュータの動作用基準信号の供給を行う。また、発振部４０３は、絶対時間（日時）を特定する時計を構成するもので、一定時間間隔のクロックパルスを発振し、制御部４０２が内蔵する時計制御回路の動作用基準信号の供給を行う。
【００３６】
データ記憶部４０５は、不図示の第１のメモリ（ＲＡＭ）、第２のメモリ（ＲＯＭ）および書き換え可能な不揮発性メモリである第３のメモリ（不揮発性ＲＡＭ）を備える。
第１のメモリには、受光部３０４より入力された受光光量のデジタルデータが、所定のフォーマットに従って記憶される。
第２のメモリには、血糖値測定装置１を制御するプログラムが記憶されている。
第３のメモリには、測光値から求めた吸光度と目的とする血糖値との関係（検量線）や、個々の血糖値測定装置１毎に固有の校正値が予め記憶される。ここで言う固有の校正値には、例えば、受光光量の規定値、吸光度計算の補正係数等がある。
【００３７】
また、第３のメモリには、過去に測定した数日分の血糖値が、その測定日時と紐付けられて記憶される。
【００３８】
また、第３のメモリには、ブザー出力部４１１に音を発生させるタイミングを示すアラーム時刻が記憶される。アラーム時刻は、血糖値を測定する必要のある時刻であり、例えば朝食前、朝食後、昼食前、昼食後、夕食前、夕食後および就寝前の所定時刻である。なお、アラーム時刻は、ユーザによって自由に設定可能である。アラームの鳴動によってユーザは血糖測定を促される。
【００３９】
外部出力部４０６は、求められた血糖値のデータを、例えばパソコンのような外部装置へ出力する。このため、外部出力部４０６は、例えば、ＲＳ−２３２Ｃに対応した通信コネクタと通信ドライバを内蔵する。また、赤外線通信を行う場合には、外部出力部４０６は、赤外線発光素子およびその駆動回路を内蔵する。
【００４０】
電源４０７として、不図示の電池が筐体１０５の内部に装填される。電源４０７は、血糖値測定装置１０１が備える各ブロックに電力を供給する。電源電圧検出部４０８は、この電池の電圧を検出し、検出された電圧値（検出値）を制御部４０２へ出力する。これにより、電池の残量をチェックすることができる。
【００４１】
操作部４１０は、上述した電源ボタン１０３，履歴呼出ボタン１０４等を総称するものである。操作部４１０は、以下のような種々のスイッチの入力を検出し、その信号を制御部４０２へ入力する。スイッチの種類としては、電源スイッチ、履歴呼出スイッチ、時刻設定・変更スイッチ、リセットスイッチ、ブザー作動／不作動選択スイッチ、５０Ｈｚ／６０Ｈｚ商用電源周波数選択スイッチ等が挙げられる。電源スイッチは、電源ボタン１０３の押圧により、血糖値測定装置１０１をアイドル状態および動作状態の間で切り替えることができる。
【００４２】
ブザー出力部４１１は、制御部４０２からの信号に基づいて、データ記憶部４０５の第３のメモリに記憶されたアラーム時刻になるとブザーを鳴動させる。
【００４３】
１−３．制御部の機能的な構成例
次に、血糖値の測定を行う前に、適切な測定期間における平均血糖値を表示部１０２に表示させ、血糖値の測定後に、測定した血糖値とともにこの血糖値と平均血糖値との比較結果を表示部１０２に表示させるための制御部４０２の機能的な構成について図５を参照して説明する。
【００４４】
図５は、本発明の一実施形態に係る制御部４０２の機能的な構成を示すブロック図である。
制御部４０２は、状態制御部５０１と、該当アラーム時刻検索部５０２と、血糖値傾向算出部５０４と、第１表示画面生成部５０５と、血糖値測定モード開始部５０６と、測定結果比較部５０７と、第２表示画面生成部５０８とを備える。
【００４５】
状態制御部５０１は、ユーザによって電源ボタン１０３が押されなくとも、アラーム時刻になると血糖値測定装置１０１をアイドル状態から動作状態に切り替えるものである。
【００４６】
この状態制御部５０１は、血糖値測定装置１０１がアイドル状態であるとき、制御部４０２が内蔵する時計制御回路で時刻が算出される度に、算出された時刻に一致するアラーム時刻を第３のメモリから検索する。そして、状態制御部５０１は、時計制御回路で算出された時刻に一致するアラーム時刻が検索されると、血糖値測定装置１０１を構成する各ブロック（図４参照）を起動させる。なお、以下では血糖値測定装置１０１がアイドル状態から動作状態に切り替わった時刻を動作状態開始時刻と呼ぶ。
【００４７】
該当アラーム時刻検索部５０２は、状態制御部５０１によってではなく電源ボタン１０３が押されて血糖値測定装置１０１が動作状態になった際に、動作状態になった時刻（動作状態開始時刻）前後の所定期間内に含まれるアラーム時刻（該当アラーム時刻）を検索するものである。所定期間としては、例えば、朝食前、朝食後、昼食前等における数十分から数時間の期間として設定される。
【００４８】
この該当アラーム時刻検索部５０２は、電源ボタン１０３が押されて血糖値測定装置１０１が動作状態になったタイミングに時計制御回路が算出した時刻を、動作状態開始時刻として取得する。そして、該当アラーム時刻検索部５０２は、取得した動作状態開始時刻に最も近いアラーム時刻を第３のメモリから検索し、検索したアラーム時刻と動作状態開始時刻との時刻差（以下、「動作時刻差」という）を算出する。そして、該当アラーム時刻検索部５０２は、算出した動作時刻差の絶対値が所定値以下であるか否かを確認する。そして、動作時刻差の絶対値が所定値以下であるならば、検索したアラーム時刻を該当アラーム時刻と認定する。これにより、動作開始時刻に最も近い該当アラーム時刻を検索できる。なお、状態制御部５０１によって検索されたアラーム時刻も該当アラーム時刻と呼ぶ。
【００４９】
血糖値傾向算出部５０４は、該当アラームに対応する所定測定期間（朝食前、朝食後、昼食前、昼食後、夕食前あるいは就寝前）に測定された過去数日分の血糖値の平均値（平均血糖値）を算出するものである。
【００５０】
血糖値傾向算出部５０４は、該当アラーム時刻前後の所定期間に測定された過去数日分の血糖値を第３のメモリから検索して取得する。そして、血糖値傾向算出部５０４は、取得した数日分の血糖値の平均値（平均血糖値）を算出する。ただし、血糖値傾向算出部５０４では、動作時刻差の絶対値が所定値よりも大きい場合には、何の処理も行われない。これにより、所定測定期間（朝食前、朝食後、昼食前、昼食後、夕食前あるいは就寝前）における平均血糖値だけを算出することができる。
【００５１】
第１表示画面生成部５０５は、該当アラーム時刻前後の所定測定期間（朝食前、朝食後、昼食前、昼食後、夕食前あるいは就寝前）における平均血糖値を表示部１０２に表示させるものである。すなわち、第１表示画面生成部５０５は、血糖値傾向算出部５０４で算出された平均血糖値を含む第１表示画面７０２（図７にて後述）を生成して表示部１０２に出力する。
【００５２】
血糖値測定モード開始部５０６は、動作状態開始時刻がアラーム時刻の前後における所定期間内にない場合、あるいは、第１表示画面７０２（図７にて後述）が表示された場合、血糖値測定装置１０１の動作モードを血糖値測定モードに切り替えるものである。
【００５３】
すなわち、血糖値測定モード開始部５０６は、該当アラーム時刻検索部５０２により動作時刻差絶対値が所定値より大きいことが確認された場合、あるいは、第１表示画面生成部５０５により第１表示画面７０２（図７にて後述）が表示部１０２に表示された場合、血糖値測定装置１０１の動作モードを血糖値測定モードに切り替える。
【００５４】
測定結果比較部５０７は、測定した血糖値と、当該血糖値を測定した時刻に対応する所定測定期間（朝食前、朝食後、昼食前、昼食後、夕食前あるいは就寝前）における平均血糖値とを比較し、その差（以下、血糖値変動値）を判定して、比較結果を生成するものである。
【００５５】
すなわち、測定結果比較部５０７は、測定した血糖値と、血糖値傾向算出部５０４で算出された平均血糖値との差を血糖値変動値として算出する。そして、測定結果比較部５０７は、算出した血糖値変動値の大きさに基づいて、測定した血糖値が平均血糖値と比較して「変化なし」、「上昇している」あるいは「下降している」のいずれに該当するのかを判断する。
【００５６】
第２表示画面生成部５０８は、測定した血糖値および測定結果比較部５０７による判断結果を表示部１０２に表示させるものである。
【００５７】
第２表示画面生成部５０８は、測定結果比較部５０７により「変化なし」であると判断されると、血糖値の変動がないことを示すマークおよび測定した血糖値を含む第２表示画面７０３（図８Ａにて後述）を生成して表示部１０２に出力する。
【００５８】
また、第２表示画面生成部５０８は、測定結果比較部５０７により「上昇している」であると判断されると、血糖値が上昇していることを示すマークおよび測定した血糖値を含む第２表示画面７０４（図８Ｂにて後述）を生成して表示部１０２に出力する。
【００５９】
また、第２表示画面生成部５０８は、測定結果比較部５０７により「下降している」であると判断されると、血糖値が下降していることを示すマークおよび測定した血糖値を含む第２表示画面７０５（図８Ｃにて後述）を生成して表示部１０２に出力する。
【００６０】
また、第２表示画面生成部５０８は、所定測定期間（朝食前、朝食後、昼食前、昼食後、夕食前あるいは就寝前）以外の期間に血糖値測定装置１０１が動作状態にされた場合、測定された血糖値だけを含む第２表示画面を生成して表示部１０２に出力する。
【００６１】
１−４．血糖値測定装置の動作例
次に、アイドル状態から動作状態に切り替えられて第１および第２の表示画面が表示されるまでの血糖値測定装置１０１の動作について図６を参照して説明する。
【００６２】
図６は、本発明の一実施形態に係る血糖値測定装置１０１の動作を示すフローチャートである。
【００６３】
血糖値測定装置１０１がアイドル状態であるとき、制御部４０２は、時計制御回路で算出された時刻（以下、「現在時刻」という）がアラーム時刻であるか否かを状態制御部５０１に確認させる（ステップＳ６０１）。
【００６４】
現在時刻がアラーム時刻に一致するならば（ステップＳ６０１のＹＥＳ）、状態制御部５０１は、血糖値測定装置１０１をアイドル状態から動作状態に切り替える（ステップＳ６０２）。このとき、制御部４０２によりブザー出力部４１１が制御され、ブザー出力部４１１は、血糖値の測定時刻であることをユーザに通知するための音を発する（ステップＳ６０３）。
【００６５】
続いて、制御部４０２は、血糖値傾向算出部５０４に、該当アラーム時刻（ステップＳ６０１にて現在時刻に一致したアラーム時刻）の例えば前後１時間以内に測定された過去数日分の血糖値を第３のメモリから取得させる。そして、血糖値傾向算出部５０４は、取得した過去数日分の血糖値の平均値（平均血糖値）を算出する。そして、制御部４０２は、平均血糖値が含まれる第１表示画面７０２（図７にて後述）を第１表示画面生成部５０５に生成させて表示部１０２に出力する。これにより、平均血糖値が表示部１０２に表示される（ステップＳ６０４）。
【００６６】
次いで、制御部４０２は、血糖値測定モード開始部５０６に、血糖値測定装置１０１の動作モードを血糖値測定モードに切り替えさせる。（ステップＳ６０５）。これにより、血糖値測定装置１０１は、血糖値の測定が可能な状態となる。
【００６７】
その後、ユーザは血糖値測定装置１０１を使用して血糖値の測定を行う（ステップＳ６０６）。すなわち、ユーザは、自身の血液をチップ１１０内の試験紙２０２にしみ込ませる。血糖値測定装置１０１は、血液がしみ込んだ試験紙２０２に対して、発光部３０３から光を照射し、受光部３０４で反射光を受光することによって受光光量を得る。そして、制御部４０２は、受光光量に応じた血糖値を算出し、第３のメモリに記憶する。
【００６８】
続いて、制御部４０２は、ステップＳ６０６の処理で測定した血糖値と、ステップＳ６０４の処理で算出した平均血糖値との差である血糖値変動値を測定結果比較部５０７に算出させる（ステップＳ６０７）。
【００６９】
算出した血糖値変動値が例えば平均血糖値の−１０％以上、＋１０％以下の値であるならば、制御部は４０２は、血糖値の変動がないことを示すマークおよび測定した血糖値を含む第２表示画面７０３（図８Ａにて後述）を第２表示画面生成部５０８に生成させて表示部１０２に出力する。これにより、血糖値の変動がないことを示すマークおよび測定した血糖値が表示部１０２に表示される（ステップＳ６０８）。
【００７０】
続いて、制御部４０２は、電源ボタン１０３がユーザによって押されたか否かを確認する（ステップＳ６０９）。電源ボタン１０３がユーザによって押されたことが確認されない間は（ステップＳ６０９のＮＯ）、ステップＳ６０９の処理を繰り返す。電源ボタン１０３がユーザによって押されたことが確認されたならば（ステップＳ６０９のＹＥＳ）、制御部４０２は、血糖値測定装置１０１を動作状態からアイドル状態に切り替えて処理を終了する。
【００７１】
上述のステップＳ６０７の処理において、算出した血糖値変動値が例えば平均血糖値の＋１０％よりも大きい値であるならば、制御部４０２は、血糖値が上昇したことを示すマークおよび測定した血糖値を含む第２表示画面７０４（図８Ｂにて後述）を第２表示画面生成部５０８に生成させて表示部１０２に出力する。これにより、血糖値が上昇したことを示すマークおよび測定した血糖値が表示部１０２に表示される（ステップＳ６１０）。その後、ステップＳ６０９の処理に移行する。
【００７２】
上述のステップＳ６０７の処理において、算出した血糖値変動値が例えば平均血糖値の−１０％よりも小さい値であるならば、制御部４０２は、血糖値が下降したことを示すマークおよび測定した血糖値を含む第２表示画面７０５（図８Ｃにて後述）を第２表示画面生成部５０８に生成させて表示部１０２に出力する。これにより、血糖値が下降したことを示すマークおよび測定した血糖値が表示部１０２に表示される（ステップＳ６１１）。その後、ステップＳ６０９の処理に移行する。
【００７３】
上述のステップＳ６０１の処理において、現在時刻がアラーム時刻でないならば（ステップＳ６０１のＮＯ）、制御部４０２は、電源ボタン１０３がユーザによって押されたか否かを確認する（ステップＳ６１２）。電源ボタン１０３がユーザによって押されたことが確認されないならば（ステップＳ６１２のＮＯ）、ステップＳ６０１の処理に戻る。
【００７４】
一方、電源ボタン１０３がユーザによって押されたことが確認されたならば（ステップＳ６１２のＹＥＳ）、制御部４０２は、血糖値測定装置１０１をアイドル状態から動作状態に切り替える（ステップＳ６１３）。
【００７５】
そして、制御部４０２は、血糖値測定装置１０１が動作状態になった時刻（動作状態開始時刻）前後の例えば１時間以内にアラーム時刻があるか否かを該当アラーム時刻検索部５０２に確認させる（ステップＳ６１４）。該当アラーム時刻検索部５０２により、動作状態開始時刻前後の１時間以内にアラーム時刻があることが確認されたならば（ステップＳ６１４のＹＥＳ）、この確認したアラーム時刻を該当アラーム時刻と認定し、ステップＳ６０４の処理に移行する。
【００７６】
動作状態開始時刻前後の１時間以内に該当アラーム時刻がないことが確認されたならば（ステップＳ６１４のＮＯ）、制御部４０２は、血糖値測定モード開始部５０６に、血糖値測定装置１０１の動作モードを血糖値測定モードに切り替えさせる（ステップＳ６１５）。その後、ステップＳ６１６の処理が実行される。なお、ステップＳ６１６の処理は、上述したステップＳ６０６の処理と同様にして血糖値を測定する処理なので、その説明は省略する。
【００７７】
続いて、制御部４０２は、ステップＳ６１６の処理で測定した血糖値を含む第２表示画面を第２表示画面生成部５０８に生成させて表示部１０２に出力する。これにより、血糖値のみが表示部１０２に表示される（ステップＳ６１７）。その後、ステップＳ６０９の処理に移行する。
【００７８】
次に、ステップＳ６０４の処理にて表示部１０２に表示される第１表示画面７０２の一例について図７を参照して説明する。
図７は、ステップＳ６０４の処理にて表示部１０２に表示される第１表示画面７０２の一例を示す説明図である。
第１表示画面７０２には、上述の該当アラーム時刻に対応する測定期間（朝食前、朝食後、昼食前等）を示す文字列と、この測定期間における平均血糖値を示す数値と、この数値が平均血糖値であることを示す文字列とが含まれる。
【００７９】
図７に示す例では、該当アラーム時刻に対応する測定期間を示す文字列が「朝食前」であり、この測定期間における平均血糖値を示す数値が「８９」である。また、この数値が平均血糖値であることを示す文字列が「平均値」である。したがって、８９という数値が、朝食前に測定された過去数日分の平均血糖値であるということを、ユーザに確実に知らせることができる。
【００８０】
また、第１表示画面７０２には、該当アラーム時刻に対応する測定期間とは別の測定期間を示す文字列と、別の測定期間における平均血糖値を示す数値とが含まれる。
【００８１】
図７に示す例では、別の測定期間を示す文字列が「昼食前」、「夕食前」および「就寝前」であり、これらの別の測定期間における平均血糖値を示す数値がそれぞれ「８７」、「９０」および「１２１」である。なお、図７に示すように、これらの文字列および数値は小さく表示されることが好ましい。これにより、別の測定期間における平均血糖値を、該当アラーム時刻に対応する測定期間における平均血糖値とユーザが誤認することを防止できる。
【００８２】
次に、ステップＳ６０８，Ｓ６１０，Ｓ６１１の各処理にて表示部１０２に表示される第２表示画面７０３，７０４，７０５の一例について図８を参照して説明する。
【００８３】
図８Ａは、ステップＳ６０８の処理にて表示部１０２に表示される第２表示画面７０３の一例を示す説明図である。
第２表示画面７０３には、該当アラーム時刻直後に測定した血糖値を示す数値と、この血糖値が平均血糖値と比較して変動がないことを示すマークとが含まれる。
【００８４】
図８Ａに示す例では、該当アラーム時刻直後に測定した血糖値を示す数値が「９５」であり、当該血糖値が平均血糖値と比較して変動がないことを示すマークが「右向き矢印」である。これにより、ユーザは現在の血糖値とともに、現在の血糖値が過去の血糖値と比較してほとんど変動がないことを容易に確認することができる。
【００８５】
ステップＳ６１０の処理にて表示部１０２に表示される図８Ｂは、第２表示画面７０４の一例を示す説明図である。
第２表示画面７０４には、該当アラーム時刻直後に測定した血糖値を示す数値と、この血糖値が平均血糖値と比較して上昇したことを示すマークとが含まれる。
【００８６】
図８Ｂに示す例では、該当アラーム時刻直後に測定した血糖値を示す数値が「１１０」であり、当該血糖値が平均血糖値と比較して上昇したことを示すマークが「右斜め上向き矢印」である。これにより、ユーザは現在の血糖値とともに、現在の血糖値が過去の血糖値と比較して上昇したことを容易に確認することができる。
【００８７】
図８Ｃは、ステップＳ６１１の処理にて表示部１０２に表示される第２表示画面７０５の一例を示す説明図である。
第２表示画面７０５には、該当アラーム時刻直後に測定した血糖値を示す数値と、この血糖値が平均血糖値と比較して下降したことを示すマークとが含まれる。
【００８８】
図８Ｃに示す例では、該当アラーム時刻直後に測定した血糖値を示す数値が「７７」であり、当該血糖値が平均血糖値と比較して下降したことを示すマークが「右斜め下向き矢印」である。これにより、ユーザは現在の血糖値とともに、現在の血糖値が過去の血糖値と比較して下降したことを容易に確認することができる。
【００８９】
以上説明したように、本発明の一実施形態によれば、血糖値測定装置が動作状態になると、該当アラーム時刻に対応する測定期間（朝食前、朝食後、昼食前等）における平均血糖値を表示部に表示することができる。これにより、血糖値の測定が行われる前に、適切な測定期間における平均血糖値を確実にユーザに知らせることができる。その結果、ユーザが平均血糖値の確認をし忘れることを防止できる、という効果がある。
【００９０】
また、本発明の一実施形態によれば、血糖値の測定が行われると、測定した血糖値と平均血糖値の比較結果を示すマークを表示画面に表示することができる。これにより、ユーザは、測定した血糖値が平均血糖値と比べてどのように変化したのかを容易に知ることができる、という効果がある。
【００９１】
２．変形例
２−１．変形例１
なお、上述した一実施形態では、表示部１０２に第１表示画面７０２（図７参照）を表示するようにしたが、その代わりに図９に示すような第１表示画面８０２を表示部１０２に表示するようにしてもよい。この場合、制御部４０２は、血糖値傾向算出部５０４および第１表示画面生成部５０５に、一実施形態にて説明した処理に加えて以下の処理を実行させる。
【００９２】
血糖値傾向算出部５０４は、取得した過去数日分の血糖値を時系列順に並び替える。そして、第１表示画面生成部５０５は、血糖値傾向算出部５０４による並び替えの結果に基づいて、第１表示画面８０２のトレンドグラフ部分を生成する。なお、第１表示画面８０２のトレンドグラフ以外の部分は第１の実施形態と同様にして生成される。
【００９３】
第１表示画面８０２は、第１表示画面７０２（図７参照）と同様に、上述の該当アラーム時刻に対応する測定期間を示す文字列と、この測定期間における平均血糖値を示す数値と、この数値が平均血糖値であることを示す文字列とが含まれる。
【００９４】
また、第１表示画面８０２には、図９に示すように、該当アラーム時刻に対応する測定期間において測定された過去数日分の血糖値が時系列に並べられたトレンドグラフが含まれる。
【００９５】
このように、血糖値測定装置が動作状態にされた直後に表示部１０２にトレンドグラフを表示させることができるので、ユーザは過去の自分の血糖値の変動を、血糖値を測定する前に確実に確認することができる。
【００９６】
２−２．変形例２
また、上述した一実施形態および変形例１では、血糖値の変動がないことを示す第２表示画面７０３、血糖値が上昇していることを示す第２表示画面７０４および血糖値が下降していることを示す第２表示画面７０５のいずれかを表示部１０２に表示させるようにした。しかしながら、これらの３つの第２表示画面７０３〜７０５に、血糖値が非常に上昇していることを示す第２表示画面８０３（図１０Ａ参照）および血糖値が非常に下降していることを示す第２表示画面８０４（図１０Ｂ参照）を加えた５つの第２表示画面のいずれかを表示部１０２に表示させるようにしてもよい。この場合、制御部４０２は、測定結果比較部５０７および第２表示画面生成部５０８に、一実施形態にて説明した処理に代えて以下の処理を実行させる。
【００９７】
測定結果比較部５０７は、測定した血糖値と、算出した血糖値変動値とを比較して「変化なし」、「上昇している」、「下降している」、「非常に上昇している」あるいは「非常に下降している」のいずれに該当するのかを判断する。
【００９８】
測定結果比較部５０７は、例えば、血糖値変動値が測定した血糖値の−１０％以上、＋１０％以内であるならば「変化なし」と判断する。また、血糖値変動値が測定した血糖値の＋１０％より大きく、＋３０％以内であるならば「上昇している」と判断し、血糖値変動値が測定した血糖値の−３０％以上、−１０％未満であるならば「下降している」と判断する。また、血糖値変動値が測定した血糖値の＋３０％よりも大きいならば「非常に上昇している」と判断し、血糖値変動値が測定した血糖値の−３０％よりも小さいならば「非常に下降している」と判断する。なお、これらの閾値はユーザによって自由に設定することができる。
【００９９】
第２表示画面生成部５０８は、測定結果比較部５０７により「変化なし」と判断されると、第２表示画面７０３（図８Ａ参照）を生成して表示部１０２に出力する。
【０１００】
また、第２表示画面生成部５０８は、測定結果比較部５０７により「上昇している」と判断されると、第２表示画面７０４（図８Ｂ参照）を生成して表示部１０２に出力する。
【０１０１】
また、第２表示画面生成部５０８は、測定結果比較部５０７により「下降している」と判断されると、第２表示画面７０５（図８Ｃ参照）を生成して表示部１０２に出力する。
【０１０２】
また、第２表示画面生成部５０８は、測定結果比較部５０７により「非常に上昇している」と判断されると、第２表示画面８０３（図１０Ａ参照）を生成して表示部１０２に出力する。
【０１０３】
また、第２表示画面生成部５０８は、測定結果比較部５０７により「非常に下降している」と判断されると、第２表示画面８０４（図１０Ｂ参照）を生成して表示部１０２に出力する。
【０１０４】
３−２．その他の変形例
また、上述した一実施形態および変形例１，２では、測定された過去数日分の血糖値に対して平均値等を算出する処理を行ったが、これに限られない。例えば、測定された過去数十日分、数ヶ月分あるいは数年分の血糖値に対して平均値等を算出する処理を行ってもよい。
【０１０５】
また、上述した一実施形態および各変形例では、図８に示すように、血糖値が上昇していることを示すマークを「右斜め上向き矢印」とし、血糖値が下降していることを示すマークを「右斜め下向き矢印」としたが、これらに限られない。例えば、血糖値が上昇していることを示すマークを「Ｈ」とし、血糖値が下降していることを示すマークを「Ｌ」としてもよい。また、マークの代わりに「上昇」「下降」といった文字列を用いてもよい。
【０１０６】
また、上述した一実施形態および各変形例では、図７に示すように、該当アラーム時刻に対応する測定期間における平均血糖値を大きく表示したが、当該平均血糖値を点滅させても同様の効果が得られる。
【０１０７】
また、本発明は上述した実施の形態に限られるものではなく、本発明の要旨を逸脱することなくその他種々の構成を取り得ることは勿論である。
【符号の説明】
【０１０８】
１０１…血糖値測定装置、１０２…表示部、１０３…電源ボタン、１０４…履歴呼出ボタン、１０５…筐体、１０６…イジェクタ、１０７…ホルダ、１１０…チップ、１１１…ケース、１１４ａ〜１１４ｄ…突起部、２０２…試験紙、３０２…細管、３０３…発光部、３０４…受光部、４０２…制御部、４０３…発振部、４０５…データ記憶部、４０６…外部出力部、４０７…電源、４０８…電源電圧検出部、４１０…操作部、４１１…ブザー出力部、５０１…状態制御部、５０２…該当アラーム時刻検索部、５０４…血糖値傾向算出部、５０５…第１表示画面生成部、５０６…血糖値測定モード開始部、５０７…測定結果比較部、５０８…第２表示画面生成部、７０２，８０２…第１表示画面、７０３〜７０５，８０３，８０４…第２表示画面
【図１】
0005654931.tif 000002
【図２】
0005654931.tif 000003
【図３】
0005654931.tif 000004
【図４】
0005654931.tif 000005
【図５】
0005654931.tif 000006
【図６】
0005654931.tif 000007
【図７】
0005654931.tif 000008
【図８】
0005654931.tif 000009
【図９】
0005654931.tif 000010
【図１０】
0005654931.tif 000011